【手続補正書】
【提出日】平成17年5月27日(2005.5.27)
【手続補正１】
【補正対象書類名】明細書
【補正対象項目名】特許請求の範囲
【補正方法】変更
【補正の内容】
【特許請求の範囲】
【請求項１】
原画像から、１または複数の、隠蔽する領域の画像である隠蔽領域画像を切り出す工程と、
前記隠蔽領域画像が切り出された前記原画像に、隠蔽用の画像である修正画像を合成して、隠蔽処理済画像を生成する工程と、
前記隠蔽処理済画像に、前記隠蔽領域画像に基づいて生成された電子透かしを埋め込む工程と、
を有することを特徴とする画像隠蔽方法。
【請求項２】
前記電子透かしは、前記隠蔽領域画像に対して、改竄によって容易に破壊される方式を適用することによって生成されていることを特徴とする請求項１に記載の画像隠蔽方法。
【請求項３】
前記修正画像として、背景と異なるパターンの画像を用いることにより、画像の隠蔽を明示していることを特徴とする請求項１または２に記載の画像隠蔽方法。
【請求項４】
前記修正画像として、背景と同一パターンの画像を用いることにより、画像の隠蔽を不分明にしていることを特徴とする請求項１または２に記載の画像隠蔽方法。
【請求項５】
請求項２に記載の画像隠蔽方法によって生成された隠蔽処理済画像から電子透かしを抽出し、当該電子透かしが破壊されている場合に、アラームを発することを特徴とする画像改竄検出方法。
【請求項６】
請求項１〜４のいずれか１項に記載の画像隠蔽方法によって生成された隠蔽処理済画像から電子透かしを抽出する工程と、
抽出した前記電子透かしに基づいて隠蔽された領域の画像である隠蔽領域画像を取得する工程と、
前記隠蔽処理済画像から隠蔽用の画像である修正画像を切り出す工程と、
前記修正画像が切り出された隠蔽処理済画像に、前記取得した隠蔽領域画像を合成して、原画像を復元する工程と、
を有することを特徴とする画像復元方法。
【請求項７】
前記原画像に電子透かしを埋め込む工程と、
前記電子透かしが埋め込まれた前記原画像から、１または複数の、隠蔽する領域の画像である隠蔽領域画像を切り出す工程と、
切り出した前記隠蔽領域画像を所定の暗号化用アルゴリズムで暗号化する工程と、
前記隠蔽領域画像が切り出された前記原画像に、暗号化した前記隠蔽領域画像を合成して、隠蔽処理済画像を生成する工程と、
を有することを特徴とする画像隠蔽方法。
【請求項８】
請求項７に記載の画像隠蔽方法によって生成された隠蔽処理済画像の中に含まれる暗号化された隠蔽領域画像に対し、当該隠蔽領域画像の位置を特定する位置情報を取得する工程と、
前記隠蔽処理済画像から、前記位置情報に基づいて、暗号化された前記隠蔽領域画像を切り出す工程と、
切り出した暗号化された前記隠蔽領域画像を、所定の復号化用アルゴリズムに基づいて復号化する工程と、
暗号化された前記隠蔽領域画像が切り出された前記隠蔽処理済画像に、復号化した前記隠蔽領域画像を合成して、電子透かしが埋め込まれた原画像を復元する工程と、
を有することを特徴とする画像復元方法。
【請求項９】
請求項８に記載の画像復元方法によって復元された原画像から電子透かしを抽出し、当該電子透かしが破壊されている場合に、アラームを発することを特徴とする画像改竄検出方法。
【請求項１０】
請求項１〜４、７のいずれか１項に記載の画像隠蔽方法によって生成された隠蔽処理済画像を表示することを特徴とする画像表示方法。
【請求項１１】
画像を入力する画像入力手段と、
前記画像入力手段によって入力された原画像から、１または複数の、隠蔽する領域の画像である隠蔽領域画像を切り出す隠蔽領域画像切出手段と、
前記隠蔽領域画像切出手段によって前記隠蔽領域画像が切り出された前記原画像に、隠蔽用の画像である修正画像を合成して、隠蔽処理済画像を生成する隠蔽処理済画像生成手段と、
前記隠蔽領域画像に基づいて電子透かしを生成し、該電子透かしを前記隠蔽処理済画像生成手段によって生成された前記隠蔽処理済画像に埋め込む電子透かし埋込手段と、
を有することを特徴とする画像隠蔽装置。
【請求項１２】
前記電子透かし埋込手段は、前記隠蔽領域画像に対して、改竄によって容易に破壊される方式を適用することによって前記電子透かしを生成することを特徴とする請求項１１に記載の画像隠蔽装置。
【請求項１３】
前記修正画像として、背景と異なるパターンの画像を用いることにより、画像の隠蔽を明示していることを特徴とする請求項１１または１２に記載の画像隠蔽装置。
【請求項１４】
前記修正画像として、背景と同一パターンの画像を用いることにより、画像の隠蔽を不分明にしていることを特徴とする請求項１１または１２に記載の画像隠蔽装置。
【請求項１５】
請求項１２に記載の画像隠蔽装置によって生成された隠蔽処理済画像から電子透かしを抽出し、当該電子透かしが破壊されている場合に、アラームを発することを特徴とする画像改竄検出装置。
【請求項１６】
請求項１１〜１４のいずれか１項に記載の画像隠蔽装置によって生成された隠蔽処理済画像から電子透かしを抽出する電子透かし抽出手段と、
前記電子透かし抽出手段によって抽出された前記電子透かしに基づいて、隠蔽された領域の画像である隠蔽領域画像を取得する隠蔽領域画像取得手段と、
前記隠蔽処理済画像から隠蔽用の画像である前記修正画像を切り出す修正画像切出手段と、
前記修正画像切出手段によって前記修正画像が切り出された隠蔽処理済画像に、前記隠蔽領域画像取得手段によって復元された前記隠蔽領域画像を合成して、原画像を復元する原画像復元手段と、
を有することを特徴とする画像復元装置。
【請求項１７】
画像を入力する画像入力手段と、
前記画像入力手段によって入力された原画像に電子透かしを埋め込む電子透かし埋込手段と、
前記電子透かし埋込手段によって前記電子透かしが埋め込まれた前記原画像から、１または複数の、隠蔽する領域の画像である隠蔽領域画像を切り出す隠蔽領域画像切出手段と、
前記隠蔽領域画像切出手段によって切り出した前記隠蔽領域画像を所定の暗号化用アルゴリズムで暗号化する隠蔽領域画像暗号化手段と、
前記隠蔽領域画像切出手段によって前記隠蔽領域画像が切り出された前記原画像に、前記暗号化手段によって暗号化された前記隠蔽領域画像を合成して、隠蔽処理済画像を生成する隠蔽処理済画像生成手段と、
を有することを特徴とする画像隠蔽装置。
【請求項１８】
請求項１７に記載の画像隠蔽装置によって生成された隠蔽処理済画像の中に含まれる暗号化された隠蔽領域画像に対し、その位置を特定する位置情報を取得する位置情報取得手段と、
前記隠蔽処理済画像から、前記位置情報取得手段によって取得された位置情報に基づいて暗号化された前記隠蔽領域画像を切り出す隠蔽領域画像切出手段と、
前記隠蔽領域画像切出手段によって切り出された暗号化された前記隠蔽領域画像を所定の復号化用アルゴリズムに基づいて復号化する隠蔽領域画像復号化手段と、
前記隠蔽領域画像切出手段によって暗号化された前記隠蔽領域画像が切り出された前記隠蔽処理済画像に、前記隠蔽領域画像復号化手段によって復号化された前記隠蔽領域画像を合成して、前記電子透かしが埋め込まれた前記原画像を復元する原画像復元手段と、
を有することを特徴とする画像復元装置。
【請求項１９】
請求項１８に記載の画像復元装置によって復元された原画像から電子透かしを抽出し、当該電子透かしが破壊されている場合に、アラームを発することを特徴とする画像改竄検出装置。
【請求項２０】
請求項１１〜１４、１７のいずれか１項に記載の画像隠蔽装置によって生成された隠蔽処理済画像を表示することを特徴とする画像表示装置。